(57)【要約】    【課題】  加水分解による経時変化を防ぎ、洗浄力、起泡力、組成物の安定性、保存性に優れた洗浄剤組成物を提供する。    【解決手段】  （ａ）ＨＬＢが１１以上のショ糖脂肪酸エステル及び／又はポリグリセリン脂肪酸エステル、（ｂ）３価以上の多価アルコール及び（ｃ）２価アルコールとを含む水溶液からなる洗浄剤組成物であって、前記３価以上の多価アルコールと２価アルコールとの重量比（３価以上の多価アルコール）／（２価アルコール）が１０／１〜２／１である。前記３価以上の多価アルコールと２価アルコールとの含有量は、合計量で３〜８０重量％であることが好ましい。    【選択図】  なし【特許請求の範囲】
【請求項１】
（ａ）ＨＬＢが１１以上のショ糖脂肪酸エステル及び／又はポリグリセリン脂肪酸エステル、（ｂ）３価以上の多価アルコール及び（ｃ）２価アルコールとを含む水溶液からなる洗浄剤組成物であって、前記３価以上の多価アルコールと２価アルコールとの重量比（３価以上の多価アルコール）／（２価アルコール）が１０／１〜２／１であることを特徴とする洗浄剤組成物。
【請求項２】
前記３価以上の多価アルコールと２価アルコールとを、合計量で３〜８０重量％含有することを特徴とする請求項１に記載の洗浄剤組成物。
【請求項３】
さらに、炭素数が８〜１０であるソルビタン脂肪酸エステル及び／又はモノグリセリン脂肪酸エステルを含有することを特徴とする請求項１又は２に記載の洗浄剤組成物。
【発明の詳細な説明】
【技術分野】
【０００１】
本発明は洗浄剤組成物に関し、さらに詳しくは安全性に優れるとともに経時安定性を向上した洗浄剤組成物に関する。
【背景技術】
【０００２】
従来より、皮膚や頭髪、食器、食品等の洗浄剤として、アニオン性、カチオン性、両性、非イオン性等の各種の界面活性剤がその目的、効果に応じて適宜選択使用されている。一般的に洗浄剤に用いられる界面活性剤のドデシル硫酸ナトリウム（ＳＤＳ）、α−オレフィンスルホン酸ナトリウム（ＡＯＳ）は皮膚、粘膜に対する刺激性が高く、またポリオキシエチレンラウリル硫酸エーテルナトリウム（ＬＥＳ）はＳＤＳ、ＡＯＳに比べると刺激性は低いが低刺激と言える程十分なものではない。一方、低刺激性であり食品添加物としても用いられる安全性の高いショ糖脂肪酸エステルやポリグリセリン脂肪酸エステルなどの界面活性剤とエタノールやグリセリンなどのアルコールを用いた水系の洗浄剤組成物が多数開示されている（例えば、特許文献１）。
【特許文献１】特開２００１−３４８５９６号公報
【発明の開示】
【発明が解決しようとする課題】
【０００３】
しかしながら、上記のショ糖脂肪酸エステルやポリグリセリン脂肪酸エステルなどの界面活性剤を用いた水系の洗浄剤は、経時的に加水分解を起こしやすく、ｐＨが著しく低下して洗浄力、起泡力や粘度、組成物の安定性が低下するという問題がある。
【０００４】
一方、グリセリンやプロピレングリコールなどの多価アルコールのみを用いた場合は、組成物の粘度や起泡力、安定性の点で充分満足できるものではなかった。
【０００５】
そこで本発明は、上記実情に鑑み、汎用性と安全性の高い界面活性剤として多くの洗浄剤組成物に用いられるショ糖脂肪酸エステルやポリグリセリン脂肪酸エステルを基材として上記経時変化に伴う不具合点を解消し、洗浄力、起泡力、組成物の安定性、保存性に優れ、皮膚や頭髪を始め、食品、食器、特に哺乳瓶などの乳幼児用食器の洗浄に好適な洗浄剤組成物を提供することにある。
【課題を解決するための手段】
【０００６】
上記目的を達成するために本発明者らは、特定範囲のＨＬＢのショ糖脂肪酸エステル及び／又はポリグリセリン脂肪酸エステルを含む水系洗浄剤において、水の比率を制限し、かつ３価以上の多価アルコールと２価アルコールとを特定の比率で含有させることで、ショ糖脂肪酸エステルなどの界面活性剤の加水分解を抑制できるという知見を得、これにより洗浄剤組成物の経時変化による洗浄力や起泡力の低下を抑え、組成物の安定性を向上させることをなし得た。
【０００７】
すなわち、本発明の洗浄剤組成物は、（ａ）ＨＬＢが１１以上のショ糖脂肪酸エステル及び／又はポリグリセリン脂肪酸エステル、（ｂ）３価以上の多価アルコール及び（ｃ）２価アルコールとを含む水溶液からなる洗浄剤組成物であって、前記３価以上の多価アルコールと２価アルコールとの重量比（３価以上の多価アルコール）／（２価アルコール）が１０／１〜２／１であることを特徴とする。
【０００８】
本発明の洗浄剤組成物においては、前記３価以上の多価アルコールと２価アルコールとを、合計量で３〜８０重量％含有することが好ましい。
【０００９】
さらに、本発明の洗浄剤組成物は、前記必須成分に加えて、炭素数が８〜１０であるソルビタン脂肪酸エステル及び／又はモノグリセリン脂肪酸エステルを含有することができる。
【発明の効果】
【００１０】
本発明の洗浄剤組成物によれば、所定比率の３価以上の多価アルコールと２価アルコールとを含有することで、ショ糖脂肪酸エステルやポリグリセリン脂肪酸エステルを含む組成物の加水分解による経時変化を抑制し、洗浄力、起泡力、安定性、保存性に優れ、かつ安全性の高い低刺激性の洗浄剤を得ることができる。
【発明を実施するための最良の形態】
【００１１】
以下、本発明の実施の形態について説明する。
【００１２】
本発明の洗浄剤組成物は、（ａ）ＨＬＢが１１以上のショ糖脂肪酸エステル及び／又はポリグリセリン脂肪酸エステル、（ｂ）３価以上の多価アルコール及び（ｃ）２価アルコールとを含む水溶液からなり、前記３価以上の多価アルコールと２価アルコールとの重量比（３価以上の多価アルコール）／（２価アルコール）が１０／１〜２／１で含まれるものである。
【００１３】
本発明で用いられる（ａ）成分のショ糖脂肪酸エステルは、ショ糖と脂肪酸とのエステルであって、ショ糖と脂肪酸とを公知のエステル化反応させることにより得ることができる。
【００１４】
前記ショ糖脂肪酸エステルは、ＨＬＢが１１以上であり、その上限は特に制限されないが好ましくは１１〜１９、より好ましくは１１〜１６である。ＨＬＢが１１未満であると水への溶解性が低下し沈殿が生じる場合があり、さらに洗浄力、起泡力が不充分となり組成物の安定性も低下する。また、ＨＬＢが１９を超えると価格が高くなるため経済的に好ましくない。
【００１５】
ショ糖脂肪酸エステルの構成脂肪酸としては、炭素数６以上のものであれば特に制限されないが、洗浄力、起泡力、組成物の安定性の面から炭素数８〜２２、特に炭素数１２であるものが好ましい。
【００１６】
これらの脂肪酸としては、例えば、カプロン酸、カプリル酸、２−エチルヘキサン酸、カプリン酸、ラウリン酸、イソトリデカン酸、ミリスチン酸、パルミチン酸、パルミトレイン酸、ステアリン酸、イソステアリン酸、オレイン酸、リノール酸、ベヘン酸、エルカ酸、リシノール酸、ヒドロキシステアリン酸などが挙げられる。
【００１７】
ショ糖脂肪酸エステルの具体例としては、ステアリン酸スクロース、エルカ酸スクロース、オレイン酸スクロース、パルミチン酸スクロースなどが挙げられる。これらを単独でも、２種以上を混合して使用してもよい。
【００１８】
また、（ａ）成分として本発明に用いられるポリグリセリン脂肪酸エステルは、ポリグリセリンと脂肪酸のエステルであって、ポリグリセリンは通常の平均重合度２〜２０、好ましくは４〜１２程度のものが用いられる。
【００１９】
上記ポリグリセリン脂肪酸エステルは、ＨＬＢが１１以上であり、その上限は特に制限されないが好ましくは１１〜１９、より好ましくは１１〜１６である。ＨＬＢが１１未満であると水への溶解性が低下し沈殿が生じる場合があり、さらに洗浄力、起泡力が不充分となり組成物の安定性も低下する。また、ＨＬＢが１９を超えると価格が高くなるため経済的に好ましくない。
【００２０】
ポリグリセリン脂肪酸エステルの構成脂肪酸は、飽和脂肪酸でも不飽和脂肪酸でもよく、また直鎖状脂肪酸でも分岐状脂肪酸でもよく、さらにはヒドロキシル基等の置換基を有していてもよい。脂肪酸の炭素数は６以上であれば特に制限されないが、炭素数６〜１８までのものが好ましく、洗浄力、起泡力、組成物の安定性の面から炭素数６〜１２のものがより好ましく、特に炭素数１２のものが好ましい。
【００２１】
これらの脂肪酸としては、例えば、カプロン酸、カプリル酸、２−エチルヘキサン酸、カプリン酸、ラウリン酸、イソトリデカン酸、ミリスチン酸、パルミチン酸、パルミトレイン酸、ステアリン酸、イソステアリン酸、オレイン酸、リノール酸、ベヘン酸、エルカ酸、リシノール酸、ヒドロキシステアリン酸などが挙げられる。
【００２２】
本発明で用いられるポリグリセリン脂肪酸エステルとしては、ジグリセリンモノラウレート、トリグリセリンモノラウレート、テトラグリセリンモノラウレート、ヘキサグリセリンモノラウレート、デカグリセリンモノラウレート、ジグリセリンモノカプリレート、トリグリセリンモノカプリレート、テトラグリセリンモノカプリレート、ヘキサグリセリンモノカプリレート、デカグリセリンモノカプリレート、ジグリセリンモノカプレート、トリグリセリンモノカプレート、テトラグリセリンモノカプレート、ヘキサグリセリンモノカプレート、デカグリセリンモノカプレート、デカグリセリンモノステアレート、ジグリセリンジラウレート、トリグリセリンジラウレート、テトラグリセリンジラウレート、ヘキサグリセリンジラウレート、デカグリセリンジラウレート、ジグリセリンジカプリレート、トリグリセリンジカプリレート、テトラグリセリンジカプリレート、ヘキサグリセリンジカプリレート、デカグリセリンジカプリレート、ジグリセリンジカプレート、トリグリセリンジカプレート、テトラグリセリンジカプレート、ヘキサグリセリンジカプレート、デカグリセリンジカプレート、ジグリセリンモノミリステート、トリグリセリンモノミリステートなどが挙げられる。これらを単独でも、２種以上を混合して用いてもよい。
【００２３】
上記ショ糖脂肪酸エステル及び／又はポリグリセリン脂肪酸エステルの含有量は特に限定されないが、両者の合計量で１〜３０重量％の範囲にあることが好ましい。この含有量が１重量％未満では洗浄力、起泡力が充分得られず、３０重量％を超えると洗浄剤組成物が加水分解を起こしやすくする傾向にある。
【００２４】
本発明の洗浄剤組成物においては、上記ショ糖脂肪酸エステル及び／又はポリグリセリン脂肪酸エステルに加えて、（ｂ）成分の３価以上の多価アルコールと（ｃ）成分の２価アルコールとが必須成分として所定の比率で含有される。
【００２５】
（ｂ）成分の２価アルコールとしては、エチレングリコール、ジエチレングリコール、プロピレングリコール、ジプロピレングリコール、イソプレングリコール、１，３−ブチレングリコール、１，２−ペンタンジオールなどが、また（ｃ）成分の３価以上の多価アルコールとしては、グリセリン、ポリグリセリン、エリスリトール、ソルビトール、グルコース、ショ糖、マルチトール、トレハロースなどが挙げられる。
【００２６】
本発明の洗浄剤組成物に含有される前記３価以上の多価アルコールと２価アルコールとの重量比は、（３価以上の多価アルコール）／（２価アルコール）が１０／１〜２／１の範囲であり、その含有量は３価以上の多価アルコールと２価アルコールとの合計量で組成物の３〜８０重量％である。さらに好ましい含有量は３０〜７５重量％である。
【００２７】
３価以上の多価アルコールと２価アルコールとの重量比が上記比率を超えて３価以上の多価アルコールが多くなると洗浄力や起泡力が不充分となり、逆に２価アルコールの比率が増すと組成物の安定性が低下する。
【００２８】
また、上記比率における３価以上の多価アルコールと２価アルコールの合計含有量が３重量％未満では、洗浄剤組成物の加水分解を抑制する効果が充分得られず、８０重量％を超えると粘度の上昇やべたつき感が生じて使用性が低下し好ましくない。
【００２９】
従って、本発明の洗浄剤組成物は、エタノールなどの１価アルコールを含まないので、皮膚や粘膜、目などに対する低刺激性を向上することができる。
【００３０】
さらに、本発明の洗浄剤組成物は、上記必須成分に加えて、炭素数が８〜１０であるソルビタン脂肪酸エステル及び／又はモノグリセリン脂肪酸エステルを含有することができ、その場合の含有量は０．１〜５重量％程度が好ましい。これにより洗浄後の保湿感やなめらか感を付与することができる。また、ここでいうモノグリセリン脂肪酸エステルは、一般に市販されているもので蒸留または未蒸留のどちらでも良い。
【００３１】
ソルビタン脂肪酸エステルとしては、モノラウリン酸エステル、モノパルミチン酸エステル、モノステアリン酸エステル、モノオレイン酸エステルなどが挙げられ、モノグリセリン酸エステルとしては、モノカプリル酸グリセリル、モノラウリン酸グリセリル、モノパルミチン酸グリセリル、モノステアリン酸グリセリル、モノイソステアリン酸グリセリル、モノオレイン酸グリセリル、モノカプリン酸グリセリルなどが挙げられ、洗浄剤の目的に応じて、これらの単独又は２種以上を適宜選択し使用することができる。
【００３２】
本発明に係る洗浄剤組成物は、上記配合成分を全て測りとり、回転子で３０分程撹拌して得られる。
【００３３】
得られた洗浄剤組成物は、希釈又は未希釈で直接被洗浄物に浸して用いることができるが、ポンプフォーマーなどのスプレー装置に充填し、被洗浄物の表面にスプレーし泡立て使用するのが好適である。
【００３４】
本発明の洗浄剤組成物を洗浄剤に用いる場合、通常の洗浄剤の成分とし使用する油分、界面活性剤、高分子化合物、酸化防止剤、紫外線吸収剤、保湿剤、香料、染料、顔料、色素、防腐剤、ビタミン剤、ホルモン剤、消臭剤、ｐＨ調製剤、固着剤等の添加物を適宜、適量で配合し用いることができる。
【実施例】
【００３５】
以下に本発明を実施例に基づいてさらに詳細に説明するが、本発明はこれらによって何ら限定されるものではない。なお、配合量はすべて重量％である。
【００３６】
表１に記載の処方に従い、各実施例及び比較例の洗浄剤組成物を調製した。なお、用いた原料は下記の通りである。
【００３７】
［原料］
・水：イオン交換水
・ショ糖脂肪酸エステル：第一工業製薬（株）製「ＤＫエステルＬ−１６０」、炭素数＝１２、ＨＬＢ＝１６
・ポリグリセリン脂肪酸エステル：太陽化学（株）製「サンソフトＭ−１２Ｊ」、炭素数＝１２、ＨＬＢ＝１５．５
・グリセリン：第一工業製薬（株）製
・プロピレングリコール：旭硝子（株）製
・モノカプリル酸グリセリル：第一工業製薬（株）製「ＭＧ−８０」
［洗浄剤組成物の調製］
洗浄剤組成物は、室温で配合成分を全て測りとり、回転子で３０程撹拌し調製する。
【００３８】
【表１】
2007056173.tif 000002
【００３９】
得られた各洗浄剤組成物の濁度、ｐＨ、起泡力、肌理を下記試験方法により測定し、表２〜表５に示す。
【００４０】
［濁度］
スガ試験機（株）製の直読ヘーズコンピューター（ＨＧＭ−２ＤＰ）を用いて、各洗浄剤組成物の調製日当日、及び４０℃で１ヶ月、２ヶ月、３ヶ月保存後の濁度を、測定温度２５℃で測定した。濁度が０〜０．５を「◎」、０．５〜１．０を「○」、１．０〜５．０を「△」、５．０以上を「×」、試験せずを「−」として、表２に示す。
【００４１】
［ｐＨ］
（株）堀場製作所製のｐＨメーター（Ｍ−８Ｅ）を用いて、各洗浄剤組成物の調製日当日、及び４０℃で１ヶ月、２ヶ月、３ヶ月保存後のｐＨを測定し、表３に示す。試験せずは「−」で示す。
【００４２】
［起泡力］
各洗浄剤組成物の調製日当日、及び４０℃で１ヶ月、２ヶ月、３ヶ月保存後の起泡力を、２００ｍｌメスシリンダーにポンプフォーマー容器（（株）吉野工業所製）に充填した洗浄剤を１０プッシュ（１プッシュ約０．９５ｇ）し、１分後の起泡の容積を測定した。容積が１００ｍｌ超えを「◎」、７０〜１００ｍｌを「○」、５０〜７０ｍｌを「△」、５０ｍｌ未満を「×」、試験せずを「−」として、表４に示す。
【００４３】
［肌理］
上記起泡力の測定時に、起泡の肌理を５名のパネルにより目視で観察した。その結果、よく泡立ち、肌理が細かいを「◎」、よく泡立つを「○」、泡立つが、泡が弱いを「△」、泡立たないを「×」、試験せずを「−」として、表５に示す。
【００４４】
【表２】
2007056173.tif 000003
【００４５】
【表３】
2007056173.tif 000004
【００４６】
【表４】
2007056173.tif 000005
【００４７】
【表５】
2007056173.tif 000006
【００４８】
表２〜表５の結果より、本発明に係る実施例の各洗浄剤組成物は、濁度、ｐＨ、起泡力、肌理共に組成物調整後の経時変化が少なく、洗浄力や起泡力を長期間安定して維持することが分かる。これに対して、３価以上の多価アルコールと２価アルコールとの一方しか含まず、水比率の多い比較例１〜４では、加水分解を抑制することができず調製１ヶ月後には濁度の悪化やｐＨが変化し、また洗浄力、起泡力が充分得られず、特にグリセリンのみを含む比較例１、３では起泡力を発生することができない。
【産業上の利用可能性】
【００４９】
本発明の洗浄剤組成物は、洗顔料、メイク落とし、ボディソープ、ハンドソープ、毛髪シャンプー、食器用洗剤などの洗浄料に使用することができ、特に安全性、非刺激性に優れることから哺乳瓶などの乳幼児用食器の洗浄に好適である。